(57)【特許請求の範囲】
【請求項１】
複数の被験者に点滅刺激を提示して測定したちらつき知覚閾値である複数の周波数と、複数の前記周波数の各々に対応する自覚的疲労指標値との回帰直線の傾きを、前記被験者毎に求め、前記被験者毎に求めた前記傾きの代表値を求めるステップと、
前記被験者の各々に関する前記周波数から、前記被験者の各々に関する最初の測定によって得られた周波数を基準とするパーセンテージ値を求めるステップと、
前記被験者の各々に関して、前記パーセンテージ値と、前記パーセンテージ値に対応する前記自覚的疲労指標値との回帰直線を求め、該回帰直線とパーセンテージ値が１００％である直線との交点を求めるステップと、
前記被験者に関して求めた前記交点の自覚的疲労指標値の代表値を求めるステップと、
ちらつき知覚閾値として周波数を測定する場合の標準フリッカー値をｆ０、被験者のフリッカー値測定によって測定された周波数をｆｍ、該フリッカー値測定時の該被験者の自覚的疲労指標値をｖｍ、前記傾きの前記代表値をα、及び前記交点の自覚的疲労指標値の前記代表値をｖ１００として、該標準フリッカー値の算出式を、ｆ０＝ｆｍ−α×（ｖｍ−ｖ１００）と決定するステップとを含むことを特徴とする標準フリッカー値の計算式の決定方法。
【請求項２】
前記周波数は、複数の前記被験者に点滅刺激を提示して測定したちらつき知覚閾値である輝度値を変換して生成された周波数であり、
複数の前記輝度値の各々に対応する前記自覚的疲労指標値との回帰直線の傾きを、前記被験者毎に求め、前記被験者毎に求めた該傾きの代表値を求めるステップと、
ちらつき知覚閾値として輝度値を測定する場合の標準フリッカー値をＬ０、被験者のフリッカー値測定によって測定された輝度値をＬｍ、該フリッカー値測定時の該被験者の自覚的疲労指標値をｖｍ、前記傾きの前記代表値をβ、及び前記交点の自覚的疲労指標値の前記代表値をｖ１００として、該標準フリッカー値の算出式を、Ｌ０＝Ｌｍ−β×（ｖｍ−ｖ１００）と決定するステップとを、さらに含むことを特徴とする請求項１に記載の標準フリッカー値の計算式の決定方法。
【請求項３】
被験者に点滅刺激を提示してちらつき知覚閾値である周波数を測定するステップと、
前記測定の前又は後に前記被験者の自覚的疲労指標値を取得するステップと、
請求項１又は２に記載の標準フリッカー値の計算式の決定方法により決定された、ちらつき知覚閾値として周波数を測定する場合の標準フリッカー値の算出式に、前記周波数及び前記自覚的疲労指標値を代入して、前記標準フリッカー値を計算するステップとを含む標準フリッカー値の計算方法。
【請求項４】
被験者に点滅刺激を提示してちらつき知覚閾値である輝度値を測定するステップと、
前記測定の前又は後に前記被験者の自覚的疲労指標値を取得するステップと、
請求項２に記載の標準フリッカー値の計算式の決定方法により決定された、ちらつき知覚閾値として輝度値を測定する場合の標準フリッカー値の算出式に、前記輝度値及び前記自覚的疲労指標値を代入して、前記標準フリッカー値を計算するステップとを含む標準フリッカー値の計算方法。
【請求項５】
被験者に点滅刺激を提示してちらつき知覚閾値である周波数を測定するステップと、
前記測定の前又は後に前記被験者の自覚的疲労指標値を取得するステップと、
ちらつき知覚閾値として周波数を測定する場合の標準フリッカー値をｆ０、測定された前記周波数をｆｍ、前記自覚的疲労指標値をｖｍとして、ｆ０＝ｆｍ＋１．５４１×（ｖｍ−０．９９）の計算式により前記標準フリッカー値を計算するステップとを含み、
前記周波数の単位は、Ｈｚであり、
前記被験者の前記自覚的疲労指標値は、０〜１０の数値である、標準フリッカー値の計算方法。
【請求項６】
被験者に点滅刺激を提示してちらつき知覚閾値である輝度値を測定するステップと、
前記測定の前又は後に前記被験者の自覚的疲労指標値を取得するステップと、
ちらつき知覚閾値として輝度値を測定する場合の標準フリッカー値をＬ０、測定された前記輝度値をＬｍ、前記自覚的疲労指標値をｖｍとして、Ｌ０＝Ｌｍ＋１．６２９×（ｖｍ−０．９９）の計算式により前記標準フリッカー値を計算するステップとを含み、
前記輝度値は、０〜２５５の整数値であり、
前記被験者の前記自覚的疲労指標値は、０〜１０の数値である、標準フリッカー値の計算方法。
【請求項７】
計算された前記標準フリッカー値を記憶するステップと、
前記被験者に点滅刺激を提示してちらつき知覚閾値である周波数を新たに測定し、且つ、該測定の前又は後に前記被験者の自覚的疲労指標値を取得した場合に、前記計算式に該周波数及び該自覚的疲労指標値を代入して、新たな標準フリッカー値を計算するステップと、
記憶された前記標準フリッカー値及び新たな前記標準フリッカー値の平均値を、最新の標準フリッカー値として決定するステップとを、さらに含む請求項３又は５に記載の標準フリッカー値の計算方法。
【請求項８】
計算された前記標準フリッカー値を記憶するステップと、
前記被験者に点滅刺激を提示してちらつき知覚閾値である輝度値を新たに測定し、且つ、該測定の前又は後に前記被験者の自覚的疲労指標値を取得した場合に、前記計算式に該輝度値及び該自覚的疲労指標値を代入して、新たな標準フリッカー値を計算するステップと、
記憶された前記標準フリッカー値及び新たな前記標準フリッカー値の平均値を、最新の標準フリッカー値として決定するステップとを、さらに含む請求項４又は６に記載の標準フリッカー値の計算方法。
【請求項９】
前記周波数及び前記自覚的疲労指標値を記憶するステップと、
前記周波数及び前記自覚的疲労指標値を所定回数以上記憶した場合、記憶した前記周波数及び前記自覚的疲労指標値の回帰直線を求めるステップと、
自覚的疲労指標値が０．９９である前記回帰直線上の点の周波数を標準フリッカー値として決定するステップとを、さらに含み、
前記被験者の前記自覚的疲労指標値は、０〜１０の数値である、請求項３、５及び７の何れか１項に記載の標準フリッカー値の計算方法。
【請求項１０】
前記輝度値及び前記自覚的疲労指標値を記憶するステップと、
前記輝度値及び前記自覚的疲労指標値を所定回数以上記憶した場合、記憶した前記輝度値及び前記自覚的疲労指標値の回帰直線を求めるステップと、
自覚的疲労指標値が０．９９である前記回帰直線上の点の輝度値を標準フリッカー値として決定するステップとを、さらに含み、
前記被験者の前記自覚的疲労指標値は、０〜１０の数値である、請求項４、６及び８の何れか１項に記載の標準フリッカー値の計算方法。
【請求項１１】
請求項３、５、７及び９の何れか１項に記載の標準フリッカー値の計算方法により計算された、ちらつき知覚閾値として周波数を測定する場合の標準フリッカー値よりも所定値だけ大きい値を開始値として、被験者に提示する点滅刺激の条件である周波数を減少させてフリッカー値を測定する、又は、
前記標準フリッカー値よりも所定値だけ小さい値を開始値として、被験者に提示する点滅刺激の条件である周波数を増大させてフリッカー値を測定することを特徴とするフリッカー値測定装置。
【請求項１２】
請求項４、６、８及び１０の何れか１項に記載の標準フリッカー値の計算方法により計算された、ちらつき知覚閾値として輝度値を測定する場合の標準フリッカー値よりも所定値だけ大きい値を開始値として、被験者に提示する点滅刺激の条件である輝度値を減少させてフリッカー値を測定する、又は、
前記標準フリッカー値よりも所定値だけ小さい値を開始値として、被験者に提示する点滅刺激の条件である輝度値を増大させてフリッカー値を測定することを特徴とするフリッカー値測定装置。
【請求項１３】
操作部及び表示部を備えたコンピュータ又は携帯端末装置に、
点滅の周波数を時間の経過に伴って変化させて、前記表示部に点滅刺激を表示する機能と、
前記点滅刺激を表示した状態で、前記被験者が前記点滅刺激によるちらつきを知覚して前記操作部を操作したときの点滅の周波数をフリッカー値として決定する機能と、
前記点滅刺激を表示する前、又は前記フリッカー値を決定した後に、前記被験者の自覚的疲労指標値を取得する機能と、
請求項３、５、７及び９の何れか１項に記載の標準フリッカー値の計算方法により、ちらつき知覚閾値として周波数を測定する場合の標準フリッカー値を計算する機能とを実現させることを特徴とする標準フリッカー値の計算プログラム。
【請求項１４】
操作部及び表示部を備えたコンピュータ又は携帯端末装置に、
点滅の輝度値を時間の経過に伴って変化させて、前記表示部に点滅刺激を表示する機能と、
前記点滅刺激を表示した状態で、前記被験者が前記点滅刺激によるちらつきを知覚して前記操作部を操作したときの点滅の輝度値をフリッカー値として決定する機能と、
前記点滅刺激を表示する前、又は前記フリッカー値を決定した後に、前記被験者の自覚的疲労指標値を取得する機能と、
請求項４、６、８及び１０の何れか１項に記載の標準フリッカー値の計算方法により、ちらつき知覚閾値として輝度値を測定する場合の標準フリッカー値を計算する機能とを実現させることを特徴とする標準フリッカー値の計算プログラム。
【発明の詳細な説明】
【技術分野】
【０００１】
本発明は、点滅する刺激に対して人がちらつきを知覚し始める又は知覚しなくなる閾値（以下、フリッカー値ともいう）の測定に関し、特に測定されたフリッカー値を疲労度の評価に利用する場合の基準となる標準値（以下、標準フリッカー値ともいう）の計算式の決定方法、標準フリッカー値の計算方法及びプログラム、並びにフリッカー値測定装置に関する。
【背景技術】
【０００２】
現代はストレス社会と言われており、日常生活の中で使える疲労の客観的計測及び評価方法が強く要求されている。従来、人が点滅する光源を見る際の「ちらつき」（フリッカー）の知覚が疲労度により変化する現象、とくに「ちらつき」を知覚することができる境界の点滅周波数（Ｃｒｉｔｉｃａｌ  Ｆｌｉｃｋｅｒ  Ｆｒｅｑｕｅｎｃｙ：ＣＦＦ）が疲労度の増大とともに低下する現象を用いて、疲れの定量的な評価（フリッカー検査）が行なわれている。フリッカー検査では、図１に示すように、点滅する光の点滅周波数を時間的に変化（単調に増大又は減少）させて被験者に提示し、点滅が見えない状態から見える状態に変化したとき、又は、点滅が見る状態から見えない状態に変化したときに、被験者にボタン押し等の反応をさせることにより周波数を測定する。図１は５回の測定状況を示している。即ち、周波数を、一定の開始値ｆｓから減少させて被験者に提示し、各回の測定において被験者がちらつきを知覚したときにボタンが押され（時刻ｔ１〜ｔ５）、ＣＦＦとしてそれぞれ周波数ｆ１〜ｆ５が得られる状況を示している。ちらつき知覚閾値（フリッカー値）は、例えば、得られた測定値ｆ１〜ｆ５の平均値として求められる。
【０００３】
フリッカー検査を用いた疲労度の定量的評価は、とくに産業衛生分野で幅広く用いられている。しかし、ＬＥＤ等を装備した専用のフリッカー値計測装置が必要であり、誰もが日常的に手軽に実施することはできなかった。
【０００４】
これに対して本願発明者は、フリッカー検査と同じちらつき知覚原理に基づく精神的疲労度検査を、液晶ディスプレイ及びＣＲＴ等のリフレッシュレートが固定された画像表示装置を用いて行なうことを可能にする技術を開発した（下記特許文献１、２参照）。この技術では、従来のフリッカー検査で用いられている点滅光の点滅周波数を変化させる代わりに、点滅光のコントラストを変化させることにより、フリッカー知覚を生じさせる。これにより、携帯電話等の携帯端末装置、パーソナルコンピュータ等を用いて、日常的に簡易に精神的疲労の計測が可能になる。
【０００５】
例えば、図２に示したように、画像表示装置に表示する画像の輝度を、最大輝度Ｌｏｎ０（＝Ｌｏｎ）から０まで、Ｌｏｆｆ１、・・・、Ｌｏｆｆｉ、・・・、Ｌｏｆｆｎ＝０と、一定の比率で減少させながら、画像を表示する。図２は、ｔ＝０〜Ｔ１の期間で、線形にｎ階調（例えば、ｎ＝２５６）変化させる場合を示す。図２において、時間軸に沿って交互に付した数字“１”及び“２”は、それぞれ輝度が最大の第１画像及び輝度を変化させた第２画像が表示されている期間を表す。第１画像の輝度値と第２画像の輝度値との比（Ｌoff／Ｌon）であるコントラストが、ある値以下になるとちらつきが知覚されるようになる。ちらつきが知覚されるときのコントラストは、被験者及び疲労度によって変化する。
【先行技術文献】
【特許文献】
【０００６】
【特許文献１】特開２０１０−０８８８６２号公報
【特許文献２】国際公開第２０１１／０３０６２２号パンフレット
【発明の概要】
【発明が解決しようとする課題】
【０００７】
フリッカー値の測定に関して、実際の測定開始時及び測定結果の評価時において重要な点として、ベースとなる標準フリッカー値（以下、単に標準値ともいう）の設定がある。標準値は、短期疲労負荷実験の場合、実験開始時点の計測値を用いる。これに対して、長期疲労評価実験及び日常においてフリッカー値計測装置を利用する場合、「十分休息を取った後の疲れが取れている状態」における計測結果を採用することが基本である。例えば、日曜日の午前中に計測を行ない、その結果を標準値として採用することが勧められている。この標準値の決定方法は、従来のフリッカー値計測方法の運用方法に準拠するものである。しかし、日常生活においてフリッカー値計測装置を利用する場合、（１）すぐに使い始めることが出来ない、（２）必ずしも日曜日の午前中に十分に休息を取った状況をつくることができない、又は、そもそも休みが取れない等の運用における問題点があった。その結果、標準値を決定することが困難であった。
【０００８】
また、従来のフリッカー測定装置では、点滅が見えない状態から見える状態に移行する点を閾値として測定する場合、通常、どのような被験者にも対応できるように、十分に余裕をもって固定した同じ開始点から測定を開始する。したがって、複数回（通常５回）計測を行なう場合、計測に長時間を要する問題がある。この点は、上記特許文献１及び２に開示されたコントラスを用いる方法においても同じである。例えば、図１に示すように、明らかに人が点滅を知覚できない固定した周波数ｆｓから測定を開始する。
【０００９】
したがって、本発明は、十分に休息を取った状況での標準値に代わる標準値（標準フリッカー値）の計算式の決定方法、標準フリッカー値の計算方法及びプログラム、並びにフリッカー値測定装置を提供することを目的とする。
【課題を解決するための手段】
【００１０】
上記の目的は、下記によって達成することができる。
即ち、本発明に係る標準フリッカー値の計算式の決定方法は、複数の被験者に点滅刺激を提示して測定したちらつき知覚閾値である複数の周波数と、複数の前記周波数の各々に対応する自覚的疲労指標値との回帰直線の傾きを、被験者毎に求め、被験者毎に求めた傾きの代表値を求めるステップと、被験者の各々に関する周波数から、被験者の各々に関する最初の測定によって得られた周波数を基準とするパーセンテージ値を求めるステップと、被験者の各々に関して、パーセンテージ値と、パーセンテージ値に対応する自覚的疲労指標値との回帰直線を求め、この回帰直線とパーセンテージ値が１００％である直線との交点を求めるステップと、被験者に関して求めた交点の自覚的疲労指標値の代表値を求めるステップと、ちらつき知覚閾値として周波数を測定する場合の標準フリッカー値をｆ０、被験者のフリッカー値測定によって測定された周波数をｆｍ、このフリッカー値測定時のこの被験者の自覚的疲労指標値をｖｍ、傾きの代表値をα、及び交点の自覚的疲労指標値の代表値をｖ１００として、この標準フリッカー値の算出式を、ｆ０＝ｆｍ−α×（ｖｍ−ｖ１００）と決定するステップとを含む。
【００１１】
好ましくは、周波数は、複数の被験者に点滅刺激を提示して測定したちらつき知覚閾値である輝度値を変換して生成された周波数であり、複数の輝度値の各々に対応する自覚的疲労指標値との回帰直線の傾きを、被験者毎に求め、被験者毎に求めたこの傾きの代表値を求めるステップと、ちらつき知覚閾値として輝度値を測定する場合の標準フリッカー値をＬ０、被験者のフリッカー値測定によって測定された輝度値をＬｍ、このフリッカー値測定時のこの被験者の自覚的疲労指標値をｖｍ、傾きの代表値をβ、及び交点の自覚的疲労指標値の代表値をｖ１００として、この標準フリッカー値の算出式を、Ｌ０＝Ｌｍ−β×（ｖｍ−ｖ１００）と決定するステップとを、さらに含む。
【００１２】
本発明に係る第１の標準フリッカー値の計算方法は、被験者に点滅刺激を提示してちらつき知覚閾値である周波数を測定するステップと、測定の前又は後に被験者の自覚的疲労指標値を取得するステップと、上記の標準フリッカー値の計算式の決定方法により決定された、ちらつき知覚閾値として周波数を測定する場合の標準フリッカー値の算出式に、周波数及び自覚的疲労指標値を代入して、標準フリッカー値を計算するステップとを含む。
【００１３】
本発明に係る第２の標準フリッカー値の計算方法は、被験者に点滅刺激を提示してちらつき知覚閾値である輝度値を測定するステップと、測定の前又は後に被験者の自覚的疲労指標値を取得するステップと、上記の標準フリッカー値の計算式の決定方法により決定された、ちらつき知覚閾値として輝度値を測定する場合の標準フリッカー値の算出式に、輝度値及び自覚的疲労指標値を代入して、標準フリッカー値を計算するステップとを含む。
【００１４】
本発明に係る第３の標準フリッカー値の計算方法は、被験者に点滅刺激を提示してちらつき知覚閾値である周波数を測定するステップと、測定の前又は後に被験者の自覚的疲労指標値を取得するステップと、ちらつき知覚閾値として周波数を測定する場合の標準フリッカー値をｆ０、測定された周波数をｆｍ、自覚的疲労指標値をｖｍとして、ｆ０＝ｆｍ＋１．５４１×（ｖｍ−０．９９）の計算式により標準フリッカー値を計算するステップとを含む。
【００１５】
本発明に係る第４の標準フリッカー値の計算方法は、被験者に点滅刺激を提示してちらつき知覚閾値である輝度値を測定するステップと、測定の前又は後に被験者の自覚的疲労指標値を取得するステップと、ちらつき知覚閾値として輝度値を測定する場合の標準フリッカー値をＬ０、測定された輝度値をＬｍ、自覚的疲労指標値をｖｍとして、Ｌ０＝Ｌｍ＋１．６２９×（ｖｍ−０．９９）の計算式により標準フリッカー値を計算するステップとを含む。
【００１６】
好ましくは、計算された標準フリッカー値を記憶するステップと、被験者に点滅刺激を提示してちらつき知覚閾値である周波数又は輝度値を新たに測定し、且つ、この測定の前又は後に被験者の自覚的疲労指標値を取得した場合に、計算式に、この周波数又は輝度値、及びこの自覚的疲労指標値を代入して、新たな標準フリッカー値を計算するステップと、記憶された標準フリッカー値及び新たな標準フリッカー値の平均値を、最新の標準フリッカー値として決定するステップとを、さらに含む。
【００１７】
より好ましくは、周波数又は輝度値、及び自覚的疲労指標値を記憶するステップと、周波数又は輝度値、及び自覚的疲労指標値を所定回数以上記憶した場合、記憶した周波数又は輝度値、及び自覚的疲労指標値の回帰直線を求めるステップと、自覚的疲労指標値が０．９９である回帰直線上の点の周波数又は輝度値を標準フリッカー値として決定するステップとを、さらに含む。
【００１８】
本発明に係る第１のフリッカー値測定装置は、上記の標準フリッカー値の計算方法により計算された、ちらつき知覚閾値として周波数を測定する場合の標準フリッカー値よりも所定値だけ大きい値を開始値として、被験者に提示する点滅刺激の条件である周波数を減少させてフリッカー値を測定する、又は、標準フリッカー値よりも所定値だけ小さい値を開始値として、被験者に提示する点滅刺激の条件である周波数を増大させてフリッカー値を測定する。
【００１９】
本発明に係る第２のフリッカー値測定装置は、上記の標準フリッカー値の計算方法により計算された、ちらつき知覚閾値として輝度値を測定する場合の標準フリッカー値よりも所定値だけ大きい値を開始値として、被験者に提示する点滅刺激の条件である輝度値を減少させてフリッカー値を測定する、又は、標準フリッカー値よりも所定値だけ小さい値を開始値として、被験者に提示する点滅刺激の条件である輝度値を増大させてフリッカー値を測定する。
【００２０】
本発明に係る第１の標準フリッカー値の計算プログラムは、操作部及び表示部を備えたコンピュータ又は携帯端末装置に、点滅の周波数を時間の経過に伴って変化させて、表示部に点滅刺激を表示する機能と、点滅刺激を表示した状態で、被験者が点滅刺激によるちらつきを知覚して操作部を操作したときの点滅の周波数をフリッカー値として決定する機能と、点滅刺激を表示する前、又はフリッカー値を決定した後に、被験者の自覚的疲労指標値を取得する機能と、上記の標準フリッカー値の計算方法により、ちらつき知覚閾値として周波数を測定する場合の標準フリッカー値を計算する機能とを実現させる。
【００２１】
本発明に係る第２の標準フリッカー値の計算プログラムは、操作部及び表示部を備えたコンピュータ又は携帯端末装置に、点滅の輝度値を時間の経過に伴って変化させて、表示部に点滅刺激を表示する機能と、点滅刺激を表示した状態で、被験者が点滅刺激によるちらつきを知覚して操作部を操作したときの点滅の輝度値をフリッカー値として決定する機能と、点滅刺激を表示する前、又はフリッカー値を決定した後に、被験者の自覚的疲労指標値を取得する機能と、上記の標準フリッカー値の計算方法により、ちらつき知覚閾値として輝度値を測定する場合の標準フリッカー値を計算する機能とを実現させる。
【発明の効果】
【００２２】
本発明によれば、十分に休息を取った状況での標準フリッカー値が得られない場合であっても、被験者毎に適切な標準フリッカー値を決定することができる計算式を得ることができる。計算された基準フリッカー値は被験者毎の値であるので、決定された基準フリッカー値を、測定されたフリッカー値から被験者の疲労度を評価するための基準として用いることで、被験者の疲労度を適切に評価することができる。
【００２３】
また、計算された標準フリッカー値を測定の開始値として用いてフリッカー値測定を行なう場合、どのような被験者にも対応できるように、十分に余裕をもって固定した開始値から測定を行なう従来の測定よりも、１回の測定時間を短縮することができる。したがって、複数回測定を繰返す場合の全測定時間を短縮することができる。
【図面の簡単な説明】
【００２４】
【図１】従来のちらつき知覚閾値の測定における点滅周波数の変化を示すグラフである。
【図２】従来のちらつき知覚閾値の測定における点滅コントラストの変化を示すグラフである。
【図３】本発明の実施の形態に係る標準フリッカー値の計算式の決定方法を実現するためのプログラムの制御構造を示すフローチャートである。
【図４】輝度値と自覚的疲労指標との相関を示すグラフである。
【図５】周波数と輝度値との相関を示すグラフである。
【図６】輝度値を変換して得られた周波数と自覚的疲労指標との相関を示すグラフである。
【図７】周波数を変換して得られたパーセンテージ値と自覚的疲労指標との相関を示すグラフである。
【図８】測定値から標準フリッカー値を求める方法を示すグラフである。
【図９】本発明の実施の形態に係るフリッカー値測定装置の構成の概要を示すブロック図である。
【図１０】フリッカー値の測定に使用する画像を示す図である。
【図１１】本発明の実施の形態に係るフリッカー値測定方法を実現するためのプログラムの制御構造を示すフローチャートである。
【図１２】フリッカー値測定の実験結果を示すグラフである。
【図１３】フリッカー値測定の実験結果を示すグラフである。
【図１４】フリッカー値測定の実験結果を示すグラフである。
【図１５】フリッカー値測定の実験結果を示すグラフである。
【図１６】フリッカー値測定の実験結果を示すグラフである。
【発明を実施するための形態】
【００２５】
以下の実施の形態では、同一の部品には同一の参照番号を付してある。それらの名称及び機能も同一である。したがって、それらについての詳細な説明は繰返さない。
【００２６】
＜標準フリッカー値の計算式＞
本発明の実施の形態に係る標準フリッカー値の計算式の決定方法は、複数のフリッカー値測定のデータを対象として、例えばコンピュータのＣＰＵが実行するプログラムによって実現される。以下に、標準フリッカー値の計算式の決定方法を実現するためのプログラムの制御構造について説明する。
【００２７】
また、以下では、輝度値（コントラスト）を変化させてフリッカー値を測定する場合に利用できる標準フリッカー値を計算する場合を説明する。
【００２８】
図３を参照して、ステップ３００において、ＣＰＵは、予め測定されたフリッカー値及び自覚的疲労指標（以下、ＶＡＳという）のデータを取得する。ここでは、複数の被験者に対して、フリッカー値として周波数及び輝度値が測定され、その値と対応させて、各測定時の被験者の自覚的疲労指標が保存されているとする。データをコンピュータに入力するには、記録媒体（フレキシブルディスク、光磁気ディスク等）、通信回線等を介して公知の方法で行なえばよい。コンピュータに入力されたデータは、例えばハードディスクドライブ（以下、ＨＤＤという）に記憶される。
【００２９】
自覚的疲労指標は、ＶＡＳ（Ｖｉｓｕａｌ  Ａｎａｌｏｇ  Ｓｃａｌｅ）の一種である、日本疲労学会が提唱する疲労評価方法で評価した値である。具体的には、紙に印刷した１０ｃｍの線の、左端を「疲れを全く感じない最良の感覚」（値“０”）、右端を「何もできないほど疲れきった最悪の感覚」（値“１０”）と規定し、その両端の間で自身の感覚が該当する位置に印を記入してもらう、主観的評価法である。
自覚的疲労指標は、ＶＡＳに限定されるものではなく、自覚症しらべ、ＰＯＭＳ（Ｐｒｏｆｉｌｅ  ｏｆ  Ｍｏｏｄ  Ｓｔａｔｅｓ）等、又は、他の疲労指標の値を用いてもよい。
【００３０】
「自覚症しらべ」とは、２００２年に日本産業衛生学会産業疲労研究会が改訂し、同学会が提唱する疲労指標である（酒井一博、日本産業衛生学会産業疲労研究会撰「自覚症しらべ」の改訂作業２００２、労働の科学  ２００２；５７：２９５−２９８）。疲労に伴う自覚症状（身体状態の変化）（例えば、目がしょぼしょぼする、足が重い、等）の項目を２５項目定め、各項目について、「まったくあてはまらない」、「わずかにあてはまる」、「すこしあてはまる」、「かなりあてはまる」及び「非常によくあてはまる」の５段階評価で点数評価し、通常、その総得点で疲労を評価する方法である。その総得点を自覚的疲労指標として用いることができる。また、２５項目は疲労症状の種類により５つの質問群（１：ねむさ、２：不安定感、３：不快感、４：だるさ、５：ぼやけ）に分類される。したがって、各群に関して所定の項目を選択し、群毎に選択された項目の合計点（ｓｉ：ｉは質問群を区別する添え字であり、ｉ＝１〜５である）を計算し、さらに群毎の合計点を合計すれば、その値（Ｓ＝Σｓｉ）を自覚的疲労指標として用いることができる。また、群毎の合計点ｓ１〜ｓ５の何れか１つ、又は、群毎の合計点の２つ以上の組合せ（例えば、全ての組合せの場合（ｓ１，・・・，ｓ５））を、自覚的疲労指標として用いてもよい。多次元ベクトル（全ての組合せの場合５次元ベクトル（ｓ１，・・・，ｓ５））である組合せを自覚的疲労指標として用いる場合、スカラーであるＶＡＳを用いた上記の説明（図３〜８参照）と同様の処理を、多次元空間（全ての組合せの場合、輝度値が加わるので６次元空間）で行なえばよい。
【００３１】
ＰＯＭＳとは、Ｄ．Ｍ．ＭｃＮａｉｒ，Ｍ．Ｌｏｒｒ，Ｌ．Ｆ．Ｄｒｏｐｐｌｅｍａｎらにより提唱された、気分及び感情の状態を測定する尺度であり、６つの気分及び感情（緊張、抑うつ、怒り、活気、疲労、混乱）の尺度から構成されている。質問は６５項目あり、項目毎に、「まったくなかった」から「非常に多くあった」の間の５段階で点数評価を行なう。６５項目のうち「疲労」に関する項目のみの点数（合計）を自覚的疲労指標として用いることができる。また、６項目を組合せた点数（合計）を、自覚的疲労指標として用いてもよい。
【００３２】
また、他の方法として、被験者に、疲労を単純に数値で表してもらい、その値を自覚的疲労指標として用いてもよい。例えば、“０”は「まったく疲れていない」、“１０”は「最大限に疲労している」と規定し、“０”から“１０”の間の数値（小数点以下２桁又はそれ以上）で疲労状態を評価した値を自覚的疲労指標として用いる。
【００３３】
測定データは、各被験者に関して、フリッカー値として、公知の方法で周波数及び輝度値（階調値）を複数回測定して得られる。このとき、各測定の前に、各被験者にＶＡＳを自己判断してもらう。決定されたＶＡＳは、測定結果と対応させて記録される。即ち、被験者を特定する情報に対応させて、測定毎の周波数、輝度値及びＶＡＳが記憶される。これらのデータは、対応関係の情報を維持したままコンピュータに入力される。
【００３４】
ステップ３０２において、ＣＰＵは、ＨＤＤからステップ３００で記憶したデータのうち、輝度値及びＶＡＳ値を読出し、各被験者のデータをグラフにプロットした場合の回帰直線の傾きα１ｉ（ｉは被験者を区別するための整数値である）を求め、それらの傾きα１ｉの平均値α１を求める。図４は、輝度値及びＶＡＳ値をそれぞれ縦軸及び横軸に取り、プロットしたグラフである。２人の被験者のデータ（それぞれ８回の測定結果）が黒丸及び白丸で示されている。輝度値及びＶＡＳ値は、被験者間で分布に差があるが、各被験者についてはほぼ直線で表すことができる。回帰直線を求める方法は、最小二乗法等の公知の方法を用いる。
【００３５】
ステップ３０４において、ＣＰＵは、ステップ３０２でＨＤＤから読出した輝度値を周波数に変換する。図５に示したように、フリッカー値測定結果の輝度値と周波数とは、相関性が高く、輝度値から線形変換してちらつき知覚のしきい値を表す周波数を求めることができる。図５は、輝度値及び周波数をそれぞれ縦軸及び横軸に取り、プロットしたグラフである。図５には、図４と同様に、２人の被験者のデータが黒丸及び白丸で示されている。ステップ３０２においては、各被験者の傾きを求めたが、ここでは、被験者を区別せずに、１本の回帰直線を使用する。後述する実験結果から、回帰直線は例えば、階調値＝周波数×１．１７２＋１８７  となる。ここで、輝度を２５６階調（０〜２５５の整数値）で表し、周波数の単位はＨｚである。したがって、周波数＝（階調値−１８７）／１．１７２  によって、輝度値（階調値）を周波数に変換することができる。
【００３６】
ステップ３０６において、ステップ３０４で得られた周波数と、対応するＶＡＳ値とをグラフにプロットした場合の回帰直線の傾きα２ｉ（ｉは被験者を区別するための整数値である）、及びそれらの平均値α２を、ステップ３０２と同様に計算する。図６は、周波数及びＶＡＳ値をそれぞれ縦軸及び横軸に取り、プロットしたグラフである。２人の被験者のデータが黒丸及び白丸で示されている。周波数及びＶＡＳ値は、被験者間で分布に差があるが、各被験者についてはほぼ直線で表すことができる。
【００３７】
ステップ３０８において、ＣＰＵは、ステップ３０４で計算した周波数をパーセンテージ値に変換する。ここで、パーセンテージ値とは、ある被験者に関して疲労負荷実験の最初の測定で得られたフリッカー値を基準（１００％）として、その後に測定されたフリッカー値を、基準に対する比率（％）で表したものである。
【００３８】
１００％の基準として、最初の測定値を用いる理由は、「実験開始時は、疲労していないと仮定できる」からである。ほとんどの被験者は、最初の測定値が最も大きく、かつＶＡＳ値は最小である。しかし、一部の被験者は、状況によって疲労負荷実験の過程で一時的に１００％の基準値（最初の測定値）よりも大きなフリッカー値が測定されることがある。
【００３９】
ステップ３１０において、ステップ３０８で得られたパーセンテージ値と、対応するＶＡＳ値とをグラフにプロットした場合の回帰直線を被験者毎に求め、各回帰直線とパーセンテージ値が１００％である直線との交点のＶＡＳ値を求め、それらのＶＡＳ値から代表値を求めて補正用ＶＡＳ値とする。図７は、パーセンテージ値及びＶＡＳ値をそれぞれ縦軸及び横軸に取り、プロットしたグラフである。２人の被験者のデータが黒丸及び白丸で示されている。パーセンテージ値及びＶＡＳ値は、被験者間で分布に差があるが、各被験者についてはほぼ直線で表すことができる。各回帰直線とパーセンテージ値が１００％である直線との交点を点Ａ、点Ｂで表す。点ＡのＶＡＳ値がｖ１、点ＢのＶＡＳ値がｖ２である。したがって、補正用ＶＡＳ値として、例えばｖ１及びｖ２の平均値（ｖ１＋ｖ２）／２を決定する。決定された補正用ＶＡＳ値をｖ１００で表す。
【００４０】
ステップ３１２において、ＣＰＵは、ステップ３０２で求めた傾きα１、ステップ３０６で求めた傾きα２、及びステップ３１０で求めた補正用ＶＡＳ値ｖ１００を用いて、標準フリッカー値の算出式を決定する。
【００４１】
輝度値を変化させてフリッカー値を測定する場合の標準フリッカー値Ｌ０を求める式は、
Ｌ０＝Ｌｍ−α１×（ｖｍ−ｖ１００）・・・（式１）
と決定される。ここで、Ｌｍ、ｖｍは、測定値である。
【００４２】
周波数を変化させてフリッカー値を測定する場合の標準フリッカー値ｆ０を求める式は、
ｆ０＝ｆｍ−α２×（ｖｍ−ｖ１００）・・・（式２）
と決定される。ここで、ｆｍ、ｖｍは、測定値である。
【００４３】
以上によって、輝度値又は周波数を変化させてフリッカー値を測定するときの標準フリッカー値の算出式を、それぞれ決定することができる。したがって、１回フリッカー値（輝度値）を測定し、そのときの被験者のＶＡＳ値が得られると、それらの値を、上記の式１に代入すれば、図８に示したように、標準フリッカー値Ｌ０を求めることができる。図８において、黒丸及び白丸は、図４と同じ２人の被験者の測定結果である。白色の四角は、これら２人の被験者と異なる被験者の測定値Ｌｍ、ｖｍを表す点（以下、測定点という）である。黒色の四角は、測定点を通る傾きα１の直線と、ＶＡＳ＝ｖ１００（補正用ＶＡＳ値）の直線との交点を表す。このように、式１によって得られる値Ｌ０は、この交点の周波数である。
【００４４】
また、１回フリッカー値（周波数）を測定し、そのときの被験者のＶＡＳ値が得られると、それらの値を、上記の式２に代入すれば、上記と同様に標準値ｆ０を求めることができる。
【００４５】
得られた標準フリッカー値は、疲労度を評価する場合の基準値として使用される。即ち、疲労していない状態に対応する標準値と測定値との差に基づいて疲労度を評価することができる。
【００４６】
＜フリッカー値測定＞
以下に、本発明の実施の形態に係るフリッカー値測定装置及びそれを用いたフリッカー値の測定方法に関して説明する。本実施の形態に係るフリッカー値測定装置は、上記で求めた標準フリッカー値の計算式（式１）をフリッカー値の測定に利用する。
【００４７】
図９を参照して、本発明の実施の形態に係るフリッカー値測定装置１００は、演算処理部（以下、ＣＰＵと記す）１０２、読出専用メモリ（以下、ＲＯＭと記す）１０４、書換可能メモリ（以下、ＲＡＭと記す）１０６、記録部１０８、タイマ１１０、インターフェイス部（以下、ＩＦ部と記す）１１２、バス１１４、表示部１１６、及び操作部１１８を備えている。ＣＰＵ１０２は、測定装置１００全体を制御する。ＲＯＭ１０４は不揮発性の記憶装置であり、測定装置１００の動作を制御するためのプログラム及びデータが記憶されている。ＲＡＭ１０６は、揮発性の記憶装置である。記録部１０８は、通電が遮断された場合にもデータを保持する不揮発性記憶装置であり、例えば、ハードディスクドライブ、フラッシュメモリ等である。ＣＰＵ１０２は、バス１１４を介してＲＯＭ１０４からプログラムをＲＡＭ１０６上に読出して、ＲＡＭ１０６の一部を作業領域としてプログラムを実行する。ＣＰＵ１０２は、プログラムにしたがって測定装置１００を構成する各部の制御を行なう。
【００４８】
タイマ１１０は、内部クロックを用いて時刻情報を出力する。ＩＦ部１１２は、ＣＰＵ１０２と表示部１１６及び操作部１１８とのインターフェイスである。バス１１４には、ＣＰＵ１０２、ＲＯＭ１０４、ＲＡＭ１０６、記録部１０８、タイマ１１０、及びＩＦ部１１２が接続されている。各部間のデータ（制御情報を含む）交換は、バス１１４を介して行なわれる。
【００４９】
表示部１１６は、画像を表示するための表示パネル（液晶パネル等）及びそれを駆動するための駆動部を備えている。表示部１１６は、ＩＦ部１１２を介して伝送される画像データを、所定のリフレッシュレートで表示する。ＩＦ部１１２と表示部１１６との間で伝送される画像信号の様式（仕様）に応じてＩＦ部１１２及び駆動部が設計されていれば、画像信号はデジタルであってもアナログであってもよい。操作部１１８は、キー、パッド等を備えており、被験者は操作部１１８を操作して測定装置１００に対し指示を行なう。
【００５０】
測定装置１００として、例えば公知のコンピュータや携帯端末装置（携帯電話、ＰＨＳ、ＰＤＡ等)を使用することができる。
【００５１】
測定装置１００の動作の概要を説明すると、次の通りである。ＣＰＵ１０２は、２つの画像データを所定の周期で交互に、ＩＦ部１１２を介して表示部１１６に伝送する。表示部１１６は、受信した画像データを、所定のリフレッシュレート（例えば３０Ｈｚ）で表示し、被験者に提示する。
【００５２】
２つの画像は、同じパターンにより区画された複数の領域を含み、複数の領域のうち、２つの画像間で対応する特定領域において相互に輝度が異なり、残りの領域において輝度が同じである多階調の白黒画像である。例えば、図１０に示すような２枚の画像である。第１画像２００は背景領域２０２及び特定領域２０４に区分されており、第２画像２１０は背景領域２１２及び特定領域２１４に区分されており、これらの区分パターンは同じである。背景領域２０２及び２１２の輝度は等しく、特定領域２０４及び２１４の輝度値が異なる。第１画像２００及び第２画像２１０の各々は、リフレッシュレートの周期（例えば３０Ｈｚの場合、１／３０＝約３３．３ｍｓｅｃ）の２倍の周期（１／１５＝約６６．６ｍｓｅｃ）で表示部１１６に表示される。したがって、ＣＰＵ１０２から表示部１１６に所定のタイミング（点滅周波数）で画像データを伝送すれば、特定領域２０４、２１４が点滅する画像を、被験者に提示することができる。この点滅を知覚できるか否かは、点滅周波数及び特定領域の輝度差に依存する。
【００５３】
さらに、ＣＰＵ１０２は、表示部１１６に伝送する２つの画像データを、時間と共に変化させ（時間管理はタイマ１１０によって行なわれる）、表示部１１６に表示される画像において、特定領域２０４の輝度差を時間と共に変化させる。例えば、図１０に示した第１画像２００及び第２画像２１０における特定領域２０４、２１４の輝度差ΔＬが、時間と共に一定の比率で増大又は減少する２つの画像データを、上記と同様に表示部１１６に伝送する。
【００５４】
例えば、図２に示したように、第１画像２００の特定領域２０４の輝度を最大輝度（Ｌｏｎ）にしたまま、第２画像２１０の特定領域２１４の輝度を、最大輝度Ｌｏｎ０（＝Ｌｏｎ）から０まで、Ｌｏｆｆ１、・・・、Ｌｏｆｆｉ、・・・、Ｌｏｆｆｎ＝０と、一定の比率で減少させる。図２は、ｔ＝０〜Ｔ１の期間で、線形にｎ階調（例えば、ｎ＝２５６）変化させる場合を示す。図２において、時間軸に沿って交互に付した数字“１”及び“２”は、それぞれ第１画像２００及び第２画像２１０が表示されている期間を表す。第１画像２００の特定領域２０４の輝度値が第２画像２１０の特定領域２１４の輝度値よりも高いので、画像の点滅表示となる。
【００５５】
図２では、Ｔ０の間、１つの輝度差ΔＬｉで第１画像及び第２画像が繰返して（２回）表示される場合を示している。変化が急激な場合には、１つの輝度差ΔＬｉで第１画像及び第２画像は１回だけ表示される。また、デジタル画像の場合には輝度は離散的な値（階調）であるので、表示する画像の輝度差も連続する値にならない場合がある。その場合には、第２画像の輝度値には、最も近い整数値（階調値）を用いる。例えば、表示部のリフレッシュレートが３０Ｈｚであり、ΔＴが約６６ｍｓ（１／１５）である場合、輝度変化の傾きが、約６６ｍｓで１階調変化させるときの傾きよりもゆるやかな場合、同じ第２画像が複数回表示される。また、輝度変化の傾きが、約６６ｍｓで１階調変化させるときの傾きよりも急な場合、第２画像の輝度を表す階調値は、連続する整数値にならず、とびとびの値（使用されない階調値がある）になる。
【００５６】
被験者は、表示部１１６の表示画面に提示された画像を観察し、画像の一部の領域にちらつきが生じ始めた又はちらつきが無くなったと知覚したときに、操作部１１８を操作する。この操作情報（データ）は、ＩＦ部１１２を介してＣＰＵ１０２に伝送され、ＣＰＵ１０２は受信した時に使用していた輝度値をＲＡＭ１０６又は記録部１０８に記憶する。このようにして、測定装置１００は、フリッカー値として輝度値（階調値）を測定することができる。
【００５７】
なお、上記特許文献２のように、より多くの領域に分割し、特定領域を固定せずに、複数の領域中でランダムに変化させる場合には、被験者に操作部１１８を操作して特定領域を指定させる。その場合、ＣＰＵ１０２は、被験者の操作の正／誤、即ち被験者が指定した領域が特定領域であるか否かを判定することができる。
【００５８】
以下、フリッカー値測定装置１００を用いてフリッカー値の測定を実現するためのプログラムの制御構造について説明する。
【００５９】
図１１を参照して、ステップ４００において、ＣＰＵ１０２は、表示部１１６にＶＡＳ値の入力画面を表示して、被験者が操作部１１８を操作して入力したＶＡＳ値ｖｍを取得する。具体的には、表示部１１６に、測定前に自覚的疲労指標（ＶＡＳ）の入力を受付ける旨、例えば「現在の疲労状態を、１０段階（０：疲れを全く感じない最良の感覚、１０：何もできないほど疲れきった最悪の感覚）で表す場合、現在の段階を数値で入力してください。」とのメッセージを表示する。
【００６０】
ステップ４０２において、ＣＰＵ１０２は、フリッカー値の測定を実施する。例えば、図１０に示す第１画像２００及び第２画像２１０を用いて、図２に示したように第２画像２１０の特定領域２１４の輝度値を変化させてフリッカー値Ｌｍを測定する。
【００６１】
ステップ４０４において、ＣＰＵ１０２は、式１に上記のＶＡＳ値ｖｍ及びフリッカー値Ｌｍを代入して標準フリッカー値Ｌ０を計算する。
【００６２】
ステップ４０６において、ＣＰＵ１０２は、以降のフリッカー値測定を繰返す回数を設定する。例えば、繰返す回数として“５”を設定する。
【００６３】
ステップ４０８において、ＣＰＵ１０２は、ステップ４０４で得られた標準フリッカー値Ｌ０から少し大きい階調値を測定開始値として、フリッカー値の測定を開始する。即ち、図２に示したように、第２画像２１０の特定領域２１４の輝度値（階調値）の開始値を標準フリッカー値Ｌ０から少し大きい階調値とし、時間の経過にしたがって特定領域２１４の輝度値（階調値）を減少させ、被験者がちらつきを感じて操作部１１８を操作したときの階調値を取得する。
【００６４】
ステップ４１０において、ＣＰＵ１０２は、ステップ４０６で設定された回数測定を行なったか否かを判定する。例えば、ＣＰＵ１０２は、繰返し回数を“１”減少させ、得られた値が“０”であるか否かを判定する。“０”であればステップ４１２に移行する。“０”でなければ、ステップ４０８の処理を繰返す。このようにして、設定された回数フリッカー値を測定する。
【００６５】
ステップ４１２において、ＣＰＵ１０２は、繰返し測定されたフリッカー値の平均値を求め、ステップ４０４で求めた標準フリッカー値とその平均値とを比較して、被験者の疲労度を評価する。評価結果は、表示部１１６に表示される。
【００６６】
以上のように、フリッカー値の測定において、被験者に応じた標準フリッカー値から少し大きい値を開始値として測定するので、どのような被験者にも対応できるように、十分に余裕をもって固定した開始値から測定を行なう場合よりも、１回の測定時間を短縮することができる。したがって、複数回測定を繰返す場合の全測定時間を短縮することができる。
【００６７】
上記のフリッカー値測定においては、輝度値を減少させてフリッカー値を測定する場合を説明したが、輝度を増加させてフリッカー値を測定する場合も同様である。その場合には、測定開始値として、ステップ４０４で求めた標準フリッカー値Ｌ０から少し小さい輝度値（階調値）を用いる。
【００６８】
また、輝度値を変化させてフリッカー値を測定する場合を説明したが、周波数を変化させてフリッカー値を測定する場合も同様である。その場合、被験者の測定値から標準フリッカー値を求めるには、式２を用いる。
【００６９】
上記では、被験者が最初にＶＡＳ値を入力する場合を説明したが、これに限定されない。例えば、被験者が、一連のフリッカー値測定を終えた後にＶＡＳ値を入力してもよい。
【００７０】
また、上記では、１回の測定結果のフリッカー値及びＶＡＳ値から、式１又は式２を用いて標準フリッカー値を決定する場合を説明したが、これに限定されない。１人の被験者の標準フリッカー値の計算結果を記憶しておき、新たに標準フリッカー値を計算した場合、新たな標準フリッカー値と記憶した過去の標準フリッカー値との平均値を、その被験者の標準フリッカー値として決定してもよい。例えば、初回の測定で、階調２２０、ＶＡＳ値３．７であった場合、標準フリッカー値は式１から、Ｌ０＝２２０＋１．５４１×（３．７−０．９９）≒２２４．２となる。２回目の測定で、階調２２４、ＶＡＳ値３．０であった場合、式１から、Ｌ０＝２２４＋１．５４１×（３．０−０．９９）≒２２７．１が得られるので、初回の測定で得られた標準フリッカー値との平均値（２２４．２＋２２７．１）／２≒２２５．６を標準フリッカー値とする。なお、ここで「１回の測定」とは、連続して複数回繰返す一連の測定を意味し、一連の測定に対して被験者はＶＡＳ値を１回だけ評価する。
【００７１】
さらに、１人の被験者に関して、所定回数（例えば５回）までの測定結果のフリッカー値及びＶＡＳ値を記憶しておき、所定回数を超えた後の測定においては、式１又は式２を使用せずに、その被験者の過去に測定したデータを含めた全測定データを用いて、その被験者の標準フリッカー値を決定することができる。具体的には、全測定データを用いてフリッカー値（周波数又は輝度値）及びＶＡＳ値の回帰直線を求め、その回帰直線とＶＡＳ値が０．９９の直線との交点のフリッカー値を標準フリッカー値として決定する。
【００７２】
上記の標準フリッカー値の算出方法においては、輝度値の標準フリッカー値を算出するために、複数の被験者に関してフリッカー値として輝度値及び周波数が測定されている場合を想定した。しかし、フリッカー値として周波数を測定する場合の標準フリッカー値を求めるには、輝度値のフリッカー値を測定しなくてもよい。その場合、図３のフローチャートにおいて、ステップ３０２及び３０４は不要である。周波数及びＶＡＳ値のみから、傾きα２及び補正用ＶＡＳ値ｖ１００を求めて、式２を決定すればよい。
【００７３】
以上、実施の形態を説明することにより本発明を説明したが、上記した実施の形態は例示であって、本発明は上記した実施の形態に限定されるものではなく、種々変更して実施することができる。
【実施例１】
【００７４】
以下に実験結果を示し、本発明の有効性を示す。
【００７５】
図１２は、１２人の被験者に関するフリッカー値の測定結果を示すグラフである。図１２は、図５と同様に、輝度値及び周波数をそれぞれ縦軸及び横軸に取り、プロットしたグラフである。輝度値は、フリッカー値測定装置として携帯電話を用い、コントラスト（階調値）を変化させてフリッカー値を測定した。周波数は、専用のフリッカー値計測装置を用いて測定した。中央部に示した太い直線以外の直線は、各被験者のデータの回帰直線を示している。これから、測定データは分散しているが、直線の傾きが大きく逸脱している被験者のデータがないことが明らかになった。図１２の中央部に示した太い直線は、全体被験者のデータを用いて得られた回帰直線を表す。これは上記した回帰直線、階調値＝周波数×１．１７２＋１８７  である。
【００７６】
図１３〜図１６は、図１２と同じ１２人の被験者に関するフリッカー値の測定結果を示すグラフである。図１３は、図４と同様に、輝度値及びＶＡＳ値をそれぞれ縦軸及び横軸に取り、プロットしたグラフである。各直線は、各被験者の測定データの回帰直線である。図１３から分かるように、被験者によって回帰直線の位置は大きく異なるが、回帰直線の傾きはほぼ等しい。輝度値（階調値）をＶＡＳ値で除算して得られた傾き（α１ｉ）の最小値（絶対値の最大値）は−２．６５、最大値（絶対値の最小値）は−１．３８であり、それらの平均値（α１）は−１．５４１であった。
【００７７】
図１４は、図６と同様に、周波数及びＶＡＳ値をそれぞれ縦軸及び横軸に取り、プロットしたグラフである。各直線は、各被験者のデータの回帰直線である。図１４から分かるように、被験者によって回帰直線の位置は大きく異なるが、回帰直線の傾きはほぼ等しい。周波数をＶＡＳ値で除算して得られた傾き（α２ｉ）の最小値（絶対値の最大値）は−２．２３、最大値（絶対値の最小値）は−１．１９であり、それらの平均値（α２）は−１．６２９であった。
【００７８】
図１５及び図１６は、図７と同様に、パーセンテージ値及びＶＡＳ値をそれぞれ縦軸及び横軸に取り、プロットしたグラフである。各直線は、各被験者のデータの回帰直線である。図１６には、各回帰直線とパーセンテージ値１００％のラインとの交点の度数分布を表す模式的グラフを、パーセンテージ値１００％のラインの上方に描画している。パーセンテージ値１００％のラインの交点のＶＡＳ値は、−１．０３２から３．６３の間で分布し、それらの平均値は０．９９であった。
【００７９】
以上のことから、式１において、傾きα１＝−１．５４１、ｖ１００＝０．９９を用いることができる。また、式２において、傾きα２＝−１．６２９、ｖ１００＝０．９９を用いることができる。これらの値を用いた場合、例えば、初回のフリッカー値の測定で、階調値が２２０、ＶＡＳ値が３．７であった場合、標準フリッカー値Ｌ０は、２２０＋１．５４１×（３．７−０．９９）≒２２４．２となる。
【００８０】
また、例えば、初回のフリッカー値の測定で、周波数が２８Ｈｚ、ＶＡＳ値が３．７であった場合、標準フリッカー値ｆ０は、２８＋１．６２９×（３．７−０．９９）≒３２．４１（Ｈｚ）となる。
【符号の説明】
【００８１】
１００    ちらつき知覚閾値の測定装置
１０２    演算処理部（ＣＰＵ）
１０４    読出専用メモリ（ＲＯＭ）
１０６    書換可能メモリ（ＲＡＭ）
１０８    記録部
１１０    タイマ
１１２    インターフェイス部（ＩＦ部）
１１４    バス
１１６    表示部
１１８    操作部
【図１】
0005578681.tif 000002
【図２】
0005578681.tif 000003
【図３】
0005578681.tif 000004
【図４】
0005578681.tif 000005
【図５】
0005578681.tif 000006
【図６】
0005578681.tif 000007
【図７】
0005578681.tif 000008
【図８】
0005578681.tif 000009
【図９】
0005578681.tif 000010
【図１０】
0005578681.tif 000011
【図１１】
0005578681.tif 000012
【図１２】
0005578681.tif 000013
【図１３】
0005578681.tif 000014
【図１４】
0005578681.tif 000015
【図１５】
0005578681.tif 000016
【図１６】
0005578681.tif 000017